(57)【要約】【課題】映像の劣化を招くことなく、効果的に不要電磁波を低減することができる映像処理方法及び映像処理装置を提供する。【解決手段】映像信号が入力される映像入力端子１ａを備えた映像表示装置に、映像入力端子１ａに入力された映像信号が、デジタルの映像信号であるか又はアナログの映像信号であるかを弁別する弁別部１ｂと、弁別部１ｂがデジタルの映像信号であると弁別した場合、第１所定変調幅にて、クロック信号をスペクトラム拡散し、弁別部１ｂがアナログの映像信号であると弁別した場合、前記第１所定変調幅より狭い第２所定変調幅にて、クロック信号をスペクトラム拡散するスペクトラム拡散手段とを備え、映像入力端子１ａに入力された映像信号及びスペクトラム拡散されたクロック信号に基づいて映像を表示するように構成する。【選択図】図１
2008203628.tif 000002
【特許請求の範囲】
【請求項１】
クロック信号を所定の周波数変調幅にてスペクトラム拡散し、スペクトラム拡散されたクロック信号と、デジタル又はアナログの映像信号とに基づいて該映像信号を処理する映像処理方法において、
デジタルの映像信号であるか又はアナログの映像信号であるかを弁別し、
デジタルの映像信号であると弁別した場合、第１所定変調幅にてクロック信号をスペクトラム拡散し、アナログの映像信号であると弁別した場合、前記第１所定変調幅より狭い第２所定変調幅にてクロック信号をスペクトラム拡散する
ことを特徴とする映像処理方法。
【請求項２】
デジタル又はアナログの映像信号が入力される映像入力部と、クロック信号を所定の周波数変調幅にてスペクトラム拡散するスペクトラム拡散手段とを備え、前記映像入力部に入力された映像信号及び前記スペクトラム拡散手段がスペクトラム拡散したクロック信号に基づいて該映像信号を処理するようにしてある映像処理装置において、
前記映像入力部に入力された映像信号がデジタルの映像信号であるか又はアナログの映像信号であるかを弁別する弁別手段を備え、
前記スペクトラム拡散手段は、
前記弁別手段がデジタルの映像信号であると弁別した場合、第１所定変調幅にて、クロック信号をスペクトラム拡散し、前記弁別手段がアナログの映像信号であると弁別した場合、前記第１所定変調幅より狭い第２所定変調幅にて、クロック信号をスペクトラム拡散するようにしてある
ことを特徴とする映像処理装置。
【請求項３】
前記弁別手段がデジタルの映像信号であると弁別した場合、デジタルであることを示す識別信号を出力し、前記弁別手段がアナログの映像信号であると弁別した場合、アナログであることを示す識別信号を出力する識別信号出力手段と、
該識別信号出力手段が出力した識別信号を受信する受信手段と
を備え、
前記スペクトラム拡散手段は、
前記受信手段がデジタルであることを示す識別信号を受信したとき、第１所定変調幅にて、クロック信号をスペクトラム拡散し、前記受信手段がアナログであることを示す識別信号を受信したとき、前記第１所定変調幅より狭い第２所定変調幅にて、クロック信号をスペクトラム拡散する手段と
を備えることを特徴とする請求項２に記載の映像処理装置。
【請求項４】
前記映像入力部に入力された映像信号及び前記スペクトラム拡散手段がスペクトラム拡散した映像信号に基づいて映像を表示する手段を備える
ことを特徴とする請求項２又は請求項３に記載の映像処理装置。
【発明の詳細な説明】
【技術分野】
【０００１】
本発明は、ＳＳＣＧ（Spread Spectrum Clock Generator）等によってクロック信号をスペクトラム拡散し、外部の電気機器に悪影響を及ぼす不要電磁波を低減することができる映像処理方法及び該映像処理方法を実施する映像処理装置に関する。
【背景技術】
【０００２】
映像処理用の電子回路を備えた映像表示装置、画像読取装置等の映像処理装置は、水晶発振器又はオシレータ等の基準クロック発生器で発振したクロック信号に同期して動作する（例えば、特許文献１）。クロック信号が回路基板上の配線パターン又はケーブル等を伝播した場合、クロック信号は不要電磁波として放射される。
【０００３】
このように放射された不要電磁波は外部の電気機器に悪影響を及ぼす虞があるため、不要電磁波の強度を制限するＶＣＣＩ、ＦＣＣｐａｒｔ１５、ＥＮ５５０２２等のノイズ規制が各国で設けられている。該ノイズ規制に対応すべく、様々な電磁妨害（ＥＭＩ:Electro Magnetic Interference）対策が行われている。例えば、ケーブル類にフェライトコアを挿入し、多層基板を用い、パターンの引き回し方を考慮する等、様々な対策が行われている。ところが、前記ＥＭＩ対策には多大な時間と費用を要する。
【０００４】
そこで、ＥＭＩ対策を低コストで行うべく、クロック信号を所定の周波数変調幅にてスペクトラム拡散するＳＳＣＧを備え、スペクトラム拡散されたクロック信号にて電子回路を動作させるように構成した映像処理装置がある。スペクトラム拡散された場合、所定周波数成分に集中しているエネルギーが、該所定周波数成分以外の周波数成分に分散される。
なお、ＳＳＣＧによるスペクトラム拡散の変調幅を広く取る程、不要電磁波が低減されることは、周波数を連続的に変化させることで不要電磁波のピークを積分的に低下させることができるＳＳＣＧの原理上から良く知られている（図４参照）。ＳＳＣＧの周波数変動幅は、一般的に、外部ピンによって設定することができ、約±０．２５％〜±４．０％の範囲内で設定可能である。
ＳＳＣＧの変調幅は、クロック信号の周波数から最も変動したときの周波数が、電子回路等の動作保証範囲を超えず、かつ実動作で影響がでない値、一般的には、±０．２５％〜±２．５％の変調幅であり、固定設定状態で使用されている。
【０００５】
ＳＳＣＧを備えることにより、不要電磁波のスペクトラムを平坦化してピーク強度を低減し、ＥＭＩ対策部品の簡素化を低コストで実現することができる。
【０００６】
一方、動作モードに応じて、スペクトラム拡散させる変調幅を変更するように構成した画像読取装置が提案されている（特許文献２）。具体的には、停止している電子回路には、広い所定変調幅でスペクトラム拡散したクロック信号を与え、動作している電子回路には、狭い所定変調幅でスペクトラム拡散したクロック信号を与えるように構成されている。
このように画像読取装置を構成することにより、動作モードに応じて、不要電磁波を効果的に抑えることができる。
【特許文献１】特開２００１−４５２４５号公報
【特許文献２】特開２００５−２２３７７０号公報
【発明の開示】
【発明が解決しようとする課題】
【０００７】
しかしながら、従来の映像処理装置においては、入力された映像信号がデジタルであるかアナログであるかに関わらず、クロック信号を同一の変調幅にてスペクトラム拡散するため、映像信号の種類に応じて不要電磁波を効果的に低減することができないという問題があった。
【０００８】
具体的には、デジタルの映像はスペクトラム拡散によって劣化しにくいため、変調幅を広くして不要電磁波を抑え、アナログの映像はスペクトラム拡散によって劣化し易いため、変調幅を狭くして映像の劣化を防止するように構成すべきである。ところが、映像信号の種類に関わらず、狭い変調幅で固定した場合、不必要に不要電磁波が外部へ放射され、広い変調幅で固定した場合、映像が劣化するという問題が生ずる。
【０００９】
本発明は斯かる事情に鑑みてなされたものであり、処理対象の映像信号がアナログの場合、変調幅を狭く、映像信号がデジタルの場合、変調幅を広くすることにより、スペクトラム拡散による映像の劣化を招くことなく、映像信号を処理し、効果的に不要電磁波を低減することができる映像処理方法及び該映像処理方法を実施する映像処理装置を提供することを目的とする。
【００１０】
本発明の他の目的は、スペクトラム拡散による映像の劣化を招くことなく映像を表示し、効果的に不要電磁波を低減することができる映像処理装置を提供することにある。
【課題を解決するための手段】
【００１１】
本発明に係る映像処理方法は、クロック信号を所定の周波数変調幅にてスペクトラム拡散し、スペクトラム拡散されたクロック信号と、デジタル又はアナログの映像信号とに基づいて該映像信号を処理する映像処理方法において、デジタルの映像信号であるか又はアナログの映像信号であるかを弁別し、デジタルの映像信号であると弁別した場合、第１所定変調幅にてクロック信号をスペクトラム拡散し、アナログの映像信号であると弁別した場合、前記第１所定変調幅より狭い第２所定変調幅にてクロック信号をスペクトラム拡散することを特徴とする。
【００１２】
本発明に係る映像処理装置は、デジタル又はアナログの映像信号が入力される映像入力部と、クロック信号を所定の周波数変調幅にてスペクトラム拡散するスペクトラム拡散手段とを備え、前記映像入力部に入力された映像信号及び前記スペクトラム拡散手段がスペクトラム拡散したクロック信号に基づいて該映像信号を処理するようにしてある映像処理装置において、前記映像入力部に入力された映像信号がデジタルの映像信号であるか又はアナログの映像信号であるかを弁別する弁別手段を備え、前記スペクトラム拡散手段は、前記弁別手段がデジタルの映像信号であると弁別した場合、第１所定変調幅にて、クロック信号をスペクトラム拡散し、前記弁別手段がアナログの映像信号であると弁別した場合、前記第１所定変調幅より狭い第２所定変調幅にて、クロック信号をスペクトラム拡散するようにしてあることを特徴とする。
【００１３】
本発明に係る映像処理装置は、前記弁別手段がデジタルの映像信号であると弁別した場合、デジタルであることを示す識別信号を出力し、前記弁別手段がアナログの映像信号であると弁別した場合、アナログであることを示す識別信号を出力する識別信号出力手段と、該識別信号出力手段が出力した識別信号を受信する受信手段とを備え、前記スペクトラム拡散手段は、前記受信手段がデジタルであることを示す識別信号を受信したとき、第１所定変調幅にて、クロック信号をスペクトラム拡散し、前記受信手段がアナログであることを示す識別信号を受信したとき、前記第１所定変調幅より狭い第２所定変調幅にて、クロック信号をスペクトラム拡散する手段とを備えることを特徴とする。
【００１４】
本発明に係る映像処理装置は、前記映像入力部に入力された映像信号及び前記スペクトラム拡散手段がスペクトラム拡散した映像信号に基づいて映像を表示する手段を備えることを特徴とする。
【００１５】
本発明にあっては、映像入力部にデジタルの映像信号又はアナログの映像信号が入力される。スペクトラム拡散手段は、映像入力部に入力された映像信号を処理するためのクロック信号をスペクトラム拡散する。そして、映像処理装置は、入力された映像信号と、スペクトラム拡散されたクロック信号とに基づいて、該映像信号に所定の処理を実行する。
ところで、入力された映像信号がデジタルの場合、アナログの場合に比して、スペクトラム拡散によって映像が劣化しにくいが、入力された映像信号がアナログの場合、デジタルの場合に比して、スペクトラム拡散によって映像が劣化し易い。
そこで、弁別手段は、入力された映像信号が、劣化しにくいデジタルの映像信号であるか又は映像が劣化し易いアナログの映像信号であるかを弁別する。スペクトラム拡散手段は、弁別手段がデジタルの映像信号であると弁別した場合、第１所定変調幅にてクロック信号をスペクトラム拡散し、弁別手段がアナログの映像信号であると弁別した場合、第１所定変調幅より狭い第２所定変調幅にてクロック信号をスペクトラム拡散する。
従って、映像信号の種類に応じて、不要電磁波を効果的に低減し、しかも映像の劣化を抑えることができる。つまり、映像が劣化しにくいデジタルの映像信号が入力された場合、クロック信号を広い変調幅でスペクトラム拡散することによって、不要電磁波を低減することができる。映像が劣化し易いアナログの映像信号が入力された場合、クロック信号を狭い変調幅でスペクトラム拡散することによって、映像の劣化を抑えることができる。
【００１６】
本発明にあっては、識別信号出力手段は、弁別手段がデジタルの映像信号であると弁別した場合、デジタルであることを示す識別信号を出力し、弁別手段がアナログの映像信号であると弁別した場合、アナログであることを示す識別信号を出力する。
受信手段は、識別信号出力手段が出力した識別信号を受信する。スペクトラム拡散手段は、デジタルであることを示す識別信号を受信手段が受信したとき、第１所定変調幅にてクロック信号をスペクトラム拡散し、アナログであることを示す識別信号を受信手段が受信したとき、第１所定変調幅より狭い第２所定変調幅にてクロック信号をスペクトラム拡散する。
【００１７】
本発明にあっては、映像入力部に入力された映像信号と、スペクトラム拡散手段がスペクトラム拡散したクロック信号とに基づいて、映像を表示する。
従って、入力される映像信号の種類に応じて、不要電磁波を効果的に低減し、しかも映像の劣化を抑えて映像を表示することができる。
【発明の効果】
【００１８】
本発明によれば、スペクトラム拡散による映像の劣化を招くことなく映像信号を処理し、入力された映像信号の種類に応じて効果的に不要電磁波を低減することができる。
【００１９】
また、スペクトラム拡散による映像の劣化を招くことなく映像を表示し、入力された映像信号の種類に応じて効果的に不要電磁波を低減することができる。
【発明を実施するための最良の形態】
【００２０】
以下、本発明をその実施の形態を示す図面に基づいて詳述する。
図１は、本発明の実施の形態に係る映像表示装置の構成を示すブロック図である。本発明の実施の形態に係る映像表示装置、例えば液晶テレビは、入力された映像信号がデジタル又はアナログのいずれであるかによって、クロック信号に対するスペクトラム拡散の周波数変調幅を変更し、不要電磁波を効果的に低減するように構成してある。
【００２１】
図中１は、映像信号が入力される映像入力部であり、映像入力部１には、各種構成部の動作を制御する制御部５、及び映像処理部２が接続されている。
【００２２】
映像入力部１は、一又は複数の映像入力端子１ａ、弁別部１ｂ及び識別信号出力部１ｃを備えている。
映像入力端子１ａは、例えばＤＶＩ−Ｉ端子である。映像入力端子１ａには、コンポジット信号、アナログＲＧＢ等のアナログの映像信号又はデジタルＲＧＢ信号等のデジタルの映像信号が入力され、入力された映像信号は映像処理部２に与えられる。また、図示しないデジタルチューナ又はアナログチューナからの映像信号が入力される。なお、映像入力端子１ａを、コンポジット映像端子、セパレート映像端子、コンポーネント映像端子、Ｄ映像端子、ＨＤＭＩ端子等で構成しても良い。
弁別部１ｂは、映像入力端子１ａに入力された映像信号が、デジタルの映像信号であるか又はアナログの映像信号であるかを弁別する。例えば、ＤＶＩ−Ｉはアナログの映像信号が入力される端子と、デジタルの映像信号が入力される端子とを有しているため、各端子に入力されている信号を検出することで、デジタルの映像信号であるか又はアナログの映像信号であるかを弁別することができる。弁別部１ｂは、デジタルの映像信号であると弁別した場合、識別信号出力部１ｃを通じて、デジタルの映像信号であることを示す識別信号を制御部５に与える。また、弁別部１ｂは、アナログの映像信号であると弁別した場合、識別信号出力部１ｃを通じて、アナログの映像信号であることを示す識別信号を制御部５に与える。識別信号は、例えばハイレベルの信号及びローレベルの信号である。
【００２３】
映像処理部２は、デジタルの映像信号が入力された場合、該映像信号を復調及び圧縮復号化し、復号化された映像信号にガンマ補正、エッジ強調等の画質改善処理を実行し、必要に応じてメニュー等の文字を付加してデジタルの映像信号を液晶コントローラ３に与える。同様に、アナログの映像信号が入力された場合、入力された映像信号に各種画質改善処理を施し、各種処理されたアナログの映像信号を液晶コントローラ３に与える。
映像処理部２には、映像処理用ＳＳＣＧ６（スペクトラム拡散手段）が接続されており、映像処理部２は映像処理用ＳＳＣＧ６から与えられたクロック信号に同期して各種処理を実行する。
【００２４】
液晶コントローラ３は、映像処理部２から与えられたデジタル又はアナログの映像信号に基づいて、液晶パネル４に映像を表示させる液晶表示用のデータ、例えばフレーム信号のようなタイミング信号、階調値を示す信号に変換し、変換したデータを液晶パネル４に与える。液晶コントローラ３には、液晶駆動用ＳＳＣＧ７（スペクトラム拡散手段）が接続されており、液晶コントローラ３は液晶駆動用ＳＳＣＧ７から与えられたクロック信号に同期して、各種処理を実行する。
【００２５】
映像処理用ＳＳＣＧ６は、所定周波数、例えば８０ＭＨｚのクロック信号を発振する基準クロック発振器６ａを備えている。映像処理用ＳＳＣＧ６は、制御部５から与えられた制御信号に応じた変調幅にてクロック信号をスペクトラム拡散し、スペクトラム拡散したクロック信号を映像処理部２に与える。
同様に、液晶駆動用ＳＳＣＧ７は、所定周波数、例えば１２０ＭＨｚのクロック信号を発振する基準クロック発振器７ａを備えている。液晶駆動用ＳＳＣＧ７は、制御部５から与えられた制御信号に応じた変調幅にてクロック信号をスペクトラム拡散し、スペクトラム拡散したクロック信号を映像処理部２に与える。
【００２６】
液晶パネル４は、例えば略矩形であり、アスペクト比が１６／９である。液晶パネル４は、スペーサを介して対向配置された略長方形の２枚のガラス基板、及び該ガラス基板に封入された液晶を備えている。正面側のガラス基板の内面には、画素を構成する複数のＲＧＢカラーフィルタが縦横に配列している。背面側のガラス基板の内面には、横方向の走査線及び縦方向の信号線がマトリクス状に配されており、走査線と信号線との交差部分には、各画素に対応した液晶部分に電圧を印可するためのアクティブ素子、例えばＴＦＴ（Thin Film Transistor）が設けられている。各ＴＦＴのゲート電極は走査線に接続され、ソース電極は信号線に接続されている。また、各ガラス基板の外側には偏光フィルムが配されている。更に、液晶パネル４の背面側には、図示しない光学シートを介して液晶パネル４を背面側から照明するエリアライト方式のバックライト装置が配されている。
また、液晶パネル４は、液晶ドライバを備えており、液晶ドライバは、液晶コントローラ３から与えられたデータに基づいて、各信号線に電圧を付与し、映像信号に係る映像を表示する。
【００２７】
制御部５は、ＣＰＵ、ＲＯＭ、ＲＡＭ、入出力部等を備えたマイクロコンピュータであり、識別信号出力部１ｃから入出力部に入力した識別信号を受信する。
そして、制御部５は、映像信号がデジタルであることを示す識別信号を受信した場合、映像処理用ＳＳＣＧ６及び液晶駆動用ＳＳＣＧ７に第１所定変調幅にてスペクトラム拡散させる制御信号を与える。また、制御部５は、映像信号がアナログであることを示す識別信号を受信した場合、映像処理用ＳＳＣＧ６及び液晶駆動用ＳＳＣＧ７に第２所定変調幅にてスペクトラム拡散させる制御信号を与える。第１所定変調幅は、例えば５％であり、第２所定変調幅は１％である。
【００２８】
図２は、スペクトラム拡散に係る制御部５の処理手順を示すフローチャート、図３は、クロック信号の周波数及び変調幅を示す図表である。まず、制御部５は、識別信号出力部１ｃが出力した識別信号を受信する（ステップＳ１１）。
【００２９】
次いで、制御部５は、受信した識別信号に基づいて、映像入力部１に入力された映像信号がデジタルの映像信号であるか否かを判定する（ステップＳ１２）。図３に示すように、入力された映像信号がデジタルである場合、映像処理用の８０ＭＨｚのクロック信号、及び液晶駆動用の１２０ＭＨｚのクロック信号を５％の変調幅にてスペクトラム拡散し、映像信号がアナログである場合、映像処理用及び液晶駆動用のクロック信号を夫々１％の変調幅にてスペクトラム拡散する。
具体的には、まず制御部５は、入力された映像信号がデジタルであると判定した場合（ステップＳ１２：ＹＥＳ）、制御信号を映像処理用ＳＳＣＧ６に与えることで、映像処理用のクロック信号を５％の第１所定変調幅にてスペクトラム拡散させる（ステップＳ１３）。
【００３０】
図４は、スペクトラム拡散前のクロック信号及びスペクトラム拡散されたクロック信号によって発生した不要電磁波の輻射量を示すスペクトラムである。横軸は、スペクトラム拡散前のクロックの基本周波数を０とした場合の周波数を示しており、縦軸は不要電磁波の輻射量を示している。破線は、スペクトラム拡散前のクロック信号にて発生した不要電磁波の輻射量を示しており、実線は、スペクトラム拡散されたクロック信号にて発生した不要電磁波の輻射量を示している。このように、クロック信号をスペクトラム拡散することにより、不要電磁波のピーク強度を低減することができる。
【００３１】
ステップＳ１３の処理によって、映像処理用ＳＳＣＧ６は、８０ＭＨｚのクロック信号を５％の変調幅にてスペクトラム拡散し、スペクトラム拡散されたクロック信号を映像処理部２に与える。
【００３２】
ステップＳ１３の処理を終えた場合、制御部５は、制御信号を液晶駆動用ＳＳＣＧ７に与えることで、液晶駆動用のクロック信号を５％の第１所定変調幅にてスペクトラム拡散させ（ステップＳ１４）、スペクトラム拡散に係る処理を終える。
【００３３】
ステップＳ１４の処理によって、液晶駆動用ＳＳＣＧ７は、１２０ＭＨｚのクロック信号を５％の変調幅にてスペクトラム拡散し、スペクトラム拡散されたクロック信号を液晶コントローラ３に与える。
映像信号がデジタルの場合、映像信号のデータはクロック信号と共に読み出されて処理されるため、映像処理部２に与えられるクロックに揺れがあっても、クロック信号の読取エラーが発生しない限り、クロックの揺れは映像に影響しない。例えば、映像信号のデータは、１枚のフレーム画又はフィールド画を構成する各画素の位置を示すデータ、及び各画素における階調値を示すデータを有しているため、クロック信号がスペクトラム拡散された場合であっても、特定の画素は特定の階調値で発光する。このため、クロック信号の周波数が揺れた場合であっても、映像は劣化しない。従って、スペクトラム拡散の変調幅を５％に設定している。
【００３４】
映像信号がアナログであると判定した場合（ステップＳ１２：ＮＯ）、制御部５は、制御信号を映像処理用ＳＳＣＧ６に与えることで、映像処理用のクロック信号を１％の第２所定変調幅にてスペクトラム拡散させる（ステップＳ１５）。
【００３５】
ステップＳ１５の処理によって、映像処理用ＳＳＣＧ６は、８０ＭＨｚのクロック信号を１％の変調幅にてスペクトラム拡散し、スペクトラム拡散されたクロック信号を映像処理部２に与える。
映像信号がアナログの場合、映像処理部２に与えられるクロック信号の周波数の揺れがそのまま、映像の色むら、モアレ等として映像に影響する。従って、スペクトラム拡散の変調幅を、デジタルの場合より狭い１％に設定している。
【００３６】
ステップＳ１５の処理を終えた場合、制御部５は、制御信号を液晶駆動用ＳＳＣＧ７に与えることで、液晶駆動用のクロック信号を１％の第２所定変調幅にてスペクトラム拡散させ（ステップＳ１６）、スペクトラム拡散に係る処理を終える。
【００３７】
ステップＳ１６の処理によって、液晶駆動用ＳＳＣＧ７は、１２０ＭＨｚのクロック信号を１％の変調幅にてスペクトラム拡散し、スペクトラム拡散されたクロック信号を液晶コントローラ３に与える。
【００３８】
実施の形態に係る映像表示装置にあっては、入力された映像信号の種類に応じて、効果的に不要電磁波の輻射量を抑えることができ、映像の劣化を招くことなく、該映像を表示することができる。
【００３９】
なお、実施の形態にあっては、映像信号の種類に応じて、クロック信号を１％又は５％の変調幅でスペクトラム拡散するように構成してあるが、変調幅の一例であり、不要電磁波を低減することができれば、他の変調幅であっても良い。
【００４０】
また、映像表示装置として液晶テレビを説明したが、デジタル及びアナログの映像信号が入力する機器であれば、他の映像処理装置に本発明を適用しても良い。例えば、ＣＲＴディスプレイ、ＰＤＰ（Plasma Display Panel）、ビデオカメラ、デジタルビデオカメラ、ハードディスクレコーダ等に本発明を適用しても良い。
【００４１】
更に、実施の形態では映像入力部に識別信号出力部を備えているが、映像入力端子に入力された映像信号がデジタルの映像信号であるか又はアナログの映像信号であるかを弁別して、弁別結果を制御部に与えることができるのであれば、他の適宜箇所に識別信号出力部を備えても良い。
更にまた、制御部が直接、映像入力端子に入力された映像信号がデジタルの映像信号であるか又はアナログの映像信号であるかを弁別するように構成しても良い。
更にまた、映像信号の弁別方法は実施の形態に示した方法に限定されない。例えば、映像信号入力部に入力された制御信号に基づいて、映像信号の種類を弁別するように構成しても良い。
【図面の簡単な説明】
【００４２】
【図１】本発明の実施の形態に係る映像表示装置の構成を示すブロック図である。
【図２】スペクトラム拡散に係る制御部の処理手順を示すフローチャートである。
【図３】クロック信号の周波数及び変調幅を示す図表である。
【図４】スペクトラム拡散前のクロック信号及びスペクトラム拡散されたクロック信号によって発生した不要電磁波の輻射量を示すスペクトラムである。
【符号の説明】
【００４３】
１  映像入力部
１ａ  映像入力端子
１ｂ  弁別部
１ｃ  識別信号出力部
２  映像処理部
３  液晶コントローラ
４  液晶パネル
５  制御部
６  映像処理用ＳＳＣＧ
７  液晶駆動用ＳＳＣＧ
【図１】
2008203628.tif 000003
【図２】
2008203628.tif 000004
【図３】
2008203628.tif 000005
【図４】
2008203628.tif 000006